(57)【要約】【課題】サムネイル画像の一覧表示を、キャッシュメモリを用いて高速に行いつつ、編集記録が行われて或るクリップの代表画データが書き換えられても、適切に編集後の内容を示したサムネイル表示が実行されるようにする。【解決手段】サムネイルメモリに保存したサムネイルデータは、編集記録でクリップの内容が書き換えられ、代表画の映像内容が変わってしまうと、クリップの映像内容に対して映像内容が一致しなくなる。そのような場合に、サムネイルメモリに保存されたサムネイルデータのうちで、不適合な内容となったサムネイルデータを、適合する内容のサムネイルデータに更新することで、編集後も、サムネイルメモリに保存されたサムネイルデータによる一覧表示を適切に実行できるようにする。【選択図】図３
2008147866.tif 000002
【特許請求の範囲】
【請求項１】
記録媒体に対して映像データの記録及び再生を行う記録再生手段と、
上記記録媒体に記録された映像データの、所定の映像データ単位毎の代表画データに基づくサムネイルデータを記憶するサムネイルメモリ手段と、
上記記録再生手段に上記記録媒体に対する読出を実行させ、記録された各映像データ単位毎の上記サムネイルデータを取得して上記サムネイルメモリ手段に記憶させるサムネイル読込処理と、上記サムネイルメモリ手段に記憶されたサムネイルデータを用いてサムネイル表示データを出力させるサムネイル出力処理と、上記記録媒体に記録された或る映像データ単位における代表画データの書き換えに応じて、上記サムネイルメモリ手段に記憶された該当の映像データ単位のサムネイルデータを新たな代表画データに基づくサムネイルデータに更新するサムネイル更新処理と、を行う制御手段と、
を備えたことを特徴とする記録再生装置。
【請求項２】
上記制御手段は、上記サムネイル更新処理として、
上記記録媒体に記録された或る映像データ単位における代表画データが書き換えられた際に、上記サムネイルメモリ手段において該当の映像データ単位のサムネイルデータを無効データとして管理させるとともに、上記サムネイルメモリ手段において無効とされたサムネイルデータが存在することに応じて、上記記録再生手段に上記記録媒体に対する読出を実行させて該当の映像データ単位の新たな代表画データに基づくサムネイルデータを取得し、有効なサムネイルデータとして上記サムネイルメモリ手段に記憶させることを特徴とする請求項１に記載の記録再生装置。
【請求項３】
上記制御手段は、上記サムネイル更新処理として、
上記記録媒体に記録された或る映像データ単位における代表画データを書き換える際に、入力される映像信号における新たな代表画データに基づくサムネイルデータを、上記サムネイルメモリ手段に供給して、該当の映像データ単位についての新たなサムネイルデータとして記憶させることを特徴とする請求項１に記載の記録再生装置。
【請求項４】
記録媒体に対して映像データの記録及び再生を行う記録再生装置のサムネイルデータ処理方法として、
映像データが所定の映像データ単位毎に記録された上記記録媒体に対する読出を行い、上記各映像データ単位毎の代表画データに基づくサムネイルデータを取得してサムネイルメモリに記憶するサムネイル読込ステップと、
上記サムネイルメモリに記憶されたサムネイルデータを用いてサムネイル表示データを出力するサムネイル出力ステップと、
上記記録媒体に記録された或る映像データ単位における代表画データの書き換えに応じて、上記サムネイルメモリに記憶された該当の映像データ単位のサムネイルデータを新たな代表画データに基づくサムネイルデータに更新するサムネイル更新ステップと、
を備えたことを特徴とするサムネイルデータ処理方法。
【発明の詳細な説明】
【技術分野】
【０００１】
本発明は、光ディスク等の記録媒体に対して映像データの記録再生を行う記録再生装置と、そのサムネイルデータ処理方法に関する。
【背景技術】
【０００２】
【特許文献１】特開２００６−１８０１０１号公報
【特許文献２】特開２００６−６６９４４号公報
【特許文献３】特開平９−３０６１４７号公報
【０００３】
ＤＶＤ（Digital Versatile Disc）やブルーレイディスク（Blu-ray Disc：登録商標）等の光ディスクに対して映像データを記録再生する記録再生装置（ディスクレコーダ）が開発されている。例えばビデオカメラにおいてディスクレコーダが一体的に設けられ、映像撮像を行い、撮像した映像データを光ディスクに記録する機器や、ビデオカメラ等とは別体であって、入力された映像データを光ディスクに記録し、また再生を行う機器が知られている。
【０００４】
これらの記録再生装置では、ストリーム映像データをクリップと呼ばれる映像データ単位で管理することが行われる。例えば１つのクリップとは映像撮像時の撮像開始ポイントから撮像停止ポイントまでの映像データを指す単位となる。
そして光ディスクにおいて、映像データがクリップを単位として記録される場合、各クリップの映像内容をサムネイル画として表示することが行われている。サムネイル画は、例えば各クリップにおける代表画像としての１フレームを縮小した画像である。
各クリップのサムネイル画を一覧表示することで、光ディスクに記録された各クリップの映像内容を簡単に確認することができる。
【発明の開示】
【発明が解決しようとする課題】
【０００５】
ところで、サムネイル画を一覧表示する為には、光ディスクに記録された各クリップについての代表画データを読み出す。代表画データとは、クリップの中で選択された、或る１フレームの映像データである。そして読み出した代表画データを縮小処理してサムネイルデータを生成していく。そして生成された各クリップについてのサムネイルデータを合成して、サムネイル一覧画像としての表示用画像データを生成して出力する。例えばモニタ装置に一覧表示用の画像データを出力して表示させる。
或いは、光ディスクに、各クリップについてのサムネイルデータを記録しておくシステムの場合は、この記録された各クリップについてのサムネイルデータを光ディスクから読み出し、サムネイル画像データを合成して、サムネイル一覧画像としての表示用の画像データを生成する。そしてモニタ装置に一覧表示用の画像データを供給して表示させる。
【０００６】
しかしながら、例えばユーザ操作等によりサムネイル一覧表示が求められたときに、毎回、このように光ディスクからの読み出しを行うようにすると、表示までに時間がかかり、ユーザにとって操作に対するレスポンスが悪いという事情がある。
そこで、サムネイルデータ用のキャッシュメモリを備えるようにし、各クリップのサムネイルデータをキャッシュメモリに保存しておくことが行われる。
例えば或る光ディスクが装填された後、１回目にサムネイル一覧表示が求められた場合は、上記のように光ディスクからの読み出しを行うが、このときに各クリップのサムネイルデータをキャッシュメモリに保存する。すると、２回目以降にサムネイル一覧表示が求められた場合は、光ディスクに対する読み出しを行うことなく、キャッシュメモリに保存されたサムネイルデータを用いて一覧表示用の画像データを生成できるため、短時間で一覧表示を行うことができる。
【０００７】
ここで、映像データの編集が行われた場合を考える。例えばインサート編集と呼ばれるように、光ディスク等の記録媒体に記録された、時間的に連続して再生される映像データの一部を、他の映像データに差し替えるような編集記録を想定する。
インサート編集は、既に記録された映像データにおける或る映像ポイントを編集開始点（ｉｎ点）、或る映像ポイントを編集終了点（ｏｕｔ点）とし、このｉｎ点からｏｕｔ点までの映像データを、入力される映像データに書き換えるような編集記録動作である。
【０００８】
或るクリップについてインサート編集としての記録が行われた場合、サムネイルデータの元となった代表画データが書き換えられる場合がある。即ち、代表画データと設定されたフレームが、ｉｎ点からｏｕｔ点までの間に含まれる場合である。
この場合、編集記録により代表画データとしてのフレームが書き換えられることになるが、すると、キャッシュメモリに保存されたサムネイルデータが、不適切な画像のデータとなる。即ち、キャッシュメモリに保存されたサムネイルデータは、編集記録以前に、元の代表画データに基づいて生成されたものであって、つまり編集前の画像内容である。
この状態でキャッシュメモリのサムネイルデータを用いて一覧表示を行うと、編集記録を行ったクリップについては、編集後の状態の映像内容が反映されていないサムネイル画像が表示されることになってしまう。つまり一覧表示において、記録されているクリップの映像内容が正しく表示されないものとなる。
【０００９】
そこで本発明は、このような不都合を解消することを目的とする。即ちサムネイル画像の一覧表示を、キャッシュメモリを用いて高速に行いつつ、編集記録が行われて或るクリップの代表画データが書き換えられても、適切に編集後の内容を示したサムネイル表示が実行されるようにする。
【課題を解決するための手段】
【００１０】
本発明の記録再生装置は、記録媒体に対して映像データの記録及び再生を行う記録再生手段と、上記記録媒体に記録された映像データの、所定の映像データ単位毎の代表画データに基づくサムネイルデータを記憶するサムネイルメモリ手段と、制御手段とを備える。制御手段は、上記記録再生手段に上記記録媒体に対する読出を実行させ、記録された各映像データ単位毎の上記サムネイルデータを取得して上記サムネイルメモリ手段に記憶させるサムネイル読込処理と、上記サムネイルメモリ手段に記憶されたサムネイルデータを用いてサムネイル表示データを出力させるサムネイル出力処理と、上記記録媒体に記録された或る映像データ単位における代表画データの書き換えに応じて、上記サムネイルメモリ手段に記憶された該当の映像データ単位のサムネイルデータを新たな代表画データに基づくサムネイルデータに更新するサムネイル更新処理とを行う。
また上記制御手段は、上記サムネイル更新処理として、上記記録媒体に記録された或る映像データ単位における代表画データが書き換えられた際に、上記サムネイルメモリ手段において該当の映像データ単位のサムネイルデータを無効データとして管理させるとともに、上記サムネイルメモリ手段において無効とされたサムネイルデータが存在することに応じて、上記記録再生手段に上記記録媒体に対する読出を実行させて該当の映像データ単位の新たな代表画データに基づくサムネイルデータを取得し、有効なサムネイルデータとして上記サムネイルメモリ手段に記憶させる。
或いは上記制御手段は、上記サムネイル更新処理として、上記記録媒体に記録された或る映像データ単位における代表画データを書き換える際に、入力される映像信号における新たな代表画データに基づくサムネイルデータを、上記サムネイルメモリ手段に供給して、該当の映像データ単位についての新たなサムネイルデータとして記憶させる。
【００１１】
本発明のサムネイルデータ処理方法は、記録媒体に対して映像データの記録及び再生を行う記録再生装置のサムネイルデータ処理方法として、映像データが所定の映像データ単位毎に記録された上記記録媒体に対する読出を行い、上記各映像データ単位毎の代表画データに基づくサムネイルデータを取得してサムネイルメモリに記憶するサムネイル読込ステップと、上記サムネイルメモリに記憶されたサムネイルデータを用いてサムネイル表示データを出力するサムネイル出力ステップと、上記記録媒体に記録された或る映像データ単位における代表画データの書き換えに応じて、上記サムネイルメモリに記憶された該当の映像データ単位のサムネイルデータを新たな代表画データに基づくサムネイルデータに更新するサムネイル更新ステップとを備える。
【００１２】
このような本発明においては、光ディスク等の記録媒体に対して映像データを記録再生する記録再生装置において、例えばクリップ（もしくはファイル）と呼ばれる映像データ単位での代表画に応じたサムネイル画像を一覧表示のために、上記サムネイルメモリ手段をサムネイルデータのキャッシュメモリとして用いることで、迅速に表示できるようにすることを前提とする。ここで、サムネイルメモリ手段に保存しておくと、編集記録でクリップの内容が書き換えられ、代表画の映像内容が変わった場合、クリップの映像内容（代表画）とサムネイルメモリ手段に保存したサムネイルデータの映像内容が一致しなくなる。そのような場合に、サムネイルメモリ手段に保存されたサムネイルデータのうちで、不適合な内容となったサムネイルデータを、適合する内容のサムネイルデータに更新することで、サムネイルメモリ手段を一覧表示の際のキャッシュメモリとして適切に使用できるようにする。
【発明の効果】
【００１３】
本発明によれば、映像データの編集記録が行われ、クリップ等の映像データ単位においてサムネイル画像の元となる代表画データが書き換えられた場合でも、それに応じてサムネイルメモリ手段でのサムネイルデータが新たな代表画データに対応したサムネイルデータに更新される。
従って、サムネイル画像に関する表示（例えば一覧表示や個別表示）において、サムネイルメモリ手段をキャッシュメモリとして使用しても、表示内容が実際に記録媒体上のクリップと整合がとれなくなるということはなく、適切な表示が行われる。即ち、編集記録を行っても、サムネイルメモリ手段をキャッシュメモリを用いた表示を適正なものとできるという効果があり、またこれによってキャッシュメモリを利用した迅速な表示という効果を有効に維持できる。
【発明を実施するための最良の形態】
【００１４】
以下、本発明の実施の形態を、光ディスク９０に対して映像データの記録再生を行うディスクレコーダ１を例に挙げて、次の順序で説明する。
［１．ディスクレコーダの構成例］
［２．代表画データとサムネイルデータ］
［３．処理例Ｉ］
［４．処理例II］
【００１５】
［１．ディスクレコーダの構成例］
図１は、ディスクレコーダ１の構成例を示している。
ディスクレコーダ１は、記録再生ヘッド部２と、記録再生用メモリ３と、エンコーダ４と、制御部５と、デコーダ６と、信号切換回路７と、サムネイルメモリ部８と、表示用メモリ９と、映像入力部１０と、映像出力部１１とを有する。
このディスクレコーダ１は、例えばディスクレコーダ１に接続された図示しない編集指示装置や操作装置、或いはディスクレコーダ１に設けられた操作部等を用いたユーザ（オペレータ）の操作に応じて、制御部５に対して各種コマンドが発行される。
制御部５は、ＣＰＵ（Central Processing Unit）により形成され、この制御部５がコマンドに応じて各部を制御して光ディスク９０に対する記録動作、再生動作、インサート編集等の編集記録動作、さらには後述するサムネイルデータに関する処理等を実行させる。
【００１６】
記録再生ヘッド部２は、装填された光ディスク９０に対するデータ書込／読出を行う。即ち記録再生ヘッド部２には、光ディスク９０を回転駆動するスピンドル機構、光ディスク９０に対してレーザ照射を行って情報の書込／読出を行うピックアップ機構、ピックアップ機構やスピンドル機構の動作を制御するサーボ機構などが備えられている。
記録再生ヘッド部２は、これらの機構により映像データについての書込／読出を実行する。
【００１７】
記録再生用メモリ３は、記録再生ヘッド部２による光ディスク９０についての映像データの書込／読出の際のデータをバッファリングするメモリである。
再生時には、記録再生ヘッド部２により光ディスク９０から読み出された情報としての映像データが記録再生用メモリ３に一時的に格納される。そして一時的に格納された映像データは、所定のタイミングで読み出されてデコーダ６に供給される。
また記録時には、エンコーダ４から供給される映像データが、記録再生用メモリ３に一時的に格納される。そして一時的に格納された映像データは、所定のタイミングで読み出されて記録再生ヘッド部２に供給され、光ディスク９０へ記録される。
【００１８】
映像入力部１０には、光ディスク９０への記録のための映像信号（入力映像信号Ｖｉｎ）が入力される。
映像出力部１１からは、モニタ装置等に対して、光ディスク９０から再生された映像やサムネイル画像としての表示用画像信号（出力映像信号Ｖｏｕｔ）が出力される。
【００１９】
信号切換回路７は制御部５の指示に基づいて、映像入力部１０、映像出力部１１、エンコーダ４、デコーダ６、サムネイルメモリ部８、表示用メモリ部９の間の映像信号経路の切換を行う。
例えば記録時には、映像入力部１０からの入力映像信号Ｖｉｎがエンコーダ４に供給されるように信号経路を設定する。
また再生時には、デコーダ６からの映像信号が映像出力部１１から出力映像信号Ｖｏｕｔとして出力されるように信号経路を設定する。
また後述する、サムネイル画像の一覧表示の際には、表示用メモリ９から読み出される映像信号が出力映像信号Ｖｏｕｔとして出力されるように信号経路を設定する。
また後述する、サムネイルデータをサムネイルメモリ部８に読み込む場合には、デコーダ６からの映像信号がサムネイルメモリ部８に供給されるように信号経路を設定する。
さらには処理例IIにおいて述べるが、編集記録の際に、映像入力部１０からの入力映像信号Ｖｉｎをエンコーダ４に供給するとともに、代表画となるフレームをサムネイルメモリ部８に供給するような信号経路の処理も行う。
【００２０】
エンコーダ４は、供給された映像信号を、光ディスク９０へ記録するためのエンコード処理を行う。即ち光ディスク９０への記録を行う際には、入力映像信号Ｖｉｎが信号切換回路７を介してエンコーダ４に供給されるが、エンコーダ４は入力映像信号Ｖｉｎに対してエンコード処理を行い、エンコードした映像データを記録再生用メモリ３に供給する。このエンコードされて記録再生用メモリ３に記憶された映像データが、所定のタイミングで読み出されて記録再生ヘッド部２に供給され、光ディスク９０へ記録されるものとなる。
なお、光ディスク９０には、通常の映像データとともに、各クリップのサムネイルデータを記録する場合もある。その場合、エンコーダ４では、各クリップの代表画データとなる或るフレームデータについて縮小処理を行ってサムネイルデータを生成し、光ディスク９０に記録するデータとして記録再生用メモリ３に供給する。
【００２１】
デコーダ６には、再生時に、記録再生ヘッド部２により光ディスク９０から読み出されて記録再生用メモリ３に取り込まれた映像データが、所定タイミングで供給される。デコーダ６は、このように光ディスク９０から読み出された映像データに対して記録時のエンコード処理に対するデコード処理を行い、再生された映像信号を得る。この映像信号は、信号切換回路７を介して、出力映像信号Ｖｏｕｔとして映像出力部１１から出力される。
【００２２】
サムネイルメモリ部８は、サムネイルデータのキャッシュメモリとして機能するメモリ領域を有する。
例えば光ディスク９０においてクリップ単位で管理されて記録されている映像データについて、それぞれのクリップのサムネイルデータが、サムネイルメモリ部８に取り込まれて保存される。
【００２３】
表示用メモリ９は、例えばサムネイル画像の一覧表示画像などの表示用データを保持するメモリである。
例えばサムネイル画像一覧表示を行う場合、サムネイルメモリ部８に保存された各クリップのサムネイルデータを用いて表示用メモリ９において表示用データが構築される。この表示用データが表示用メモリ９から読み出されて信号切換回路７を介して出力映像信号Ｖｏｕｔとされることで、例えばモニタ装置においてサムネイル画像の一覧表示が行われる。
【００２４】
［２．代表画データとサムネイルデータ］
代表画データとサムネイルデータについて説明する。
図２（ａ）は、光ディスク９０に記録された映像データを模式的に示している。映像データはクリップという単位で管理されるが、ここではクリップＣＬ１，ＣＬ２，ＣＬ３，ＣＬ４・・・を示している。１つのクリップは、例えば時間的に連続して撮像された映像データなどである。
各クリップについては、その代表画データとしての１フレームが決められる。例えばクリップの開始点から１０秒目までの範囲などで代表画データが選定されることが多い。
例えば各フレームの開始から３秒目のフレームが代表画データとされるとする。図２（ａ）では、３秒目のフレームなどとして決められる代表画データのフレームを破線で示している。
【００２５】
この代表画データと同じ画像内容のデータがサムネイルデータとされる。例えば各クリップの代表画データに対して縮小処理したデータが、図示するサムネイルデータＴＭ１，ＴＭ２，ＴＭ３，ＴＭ４・・・となる。
【００２６】
これらサムネイルデータＴＭ１，ＴＭ２・・・については、光ディスク９０に記録されてもよいし、記録されなくてもよい。
例えばサムネイルデータＴＭ１，ＴＭ２を光ディスク９０に記録しなくても、例えばサムネイル表示を行うなどの必要なときに代表画データからサムネイルデータを生成することができるためである。
一方、各クリップＣＬ１，ＣＬ２・・・の映像データを光ディスク９０に記録する際に、サムネイルデータＴＭ１，ＴＭ２・・・も生成して光ディスク９０に記録させておけば、サムネイルデータが必要なときには、その記録したサムネイルデータＴＭ１，ＴＭ２・・・を読み出せばよい。
【００２７】
本例では、サムネイル画像一覧表示のために、各クリップのサムネイルデータをサムネイルメモリ部８に取り込むようにしている。
例えば或る光ディスク９０が装填された後、１回目にサムネイル一覧表示が求められた場合は、光ディスク９０に対する読み出しを行って、各クリップのサムネイルデータをサムネイルメモリ部８に保存する。そして取り込んだ各クリップのサムネイルデータを用いて、表示用メモリ９上で表示用データを構築する。即ちサムネイル一覧表示画像の画像データである。この表示用メモリ９上で構築した表示用データを出力映像信号Ｖｏｕｔとしてモニタ装置に供給することで、１回目のサムネイル一覧表示が行われることになる。
【００２８】
なお、このようにサムネイルメモリ部８にサムネイルデータを取り込む際に、光ディスク９０に各クリップのサムネイルデータが記録されている場合は、その各サムネイルデータを記録再生ヘッド部２に読み出させ、記録再生用メモリ３、デコーダ６、信号切換回路７を介してサムネイルメモリ部８に供給し、記憶させればよい。
一方、サムネイルデータが光ディスク９０には記録されていない場合は、記録再生ヘッド部２に光ディスク９０の各クリップの代表画データを読出を実行させる。そして代表画データとなるフレームデータを記録再生用メモリ３、デコーダ６、信号切換回路７を介してサムネイルメモリ部８に供給する。この場合、例えばサムネイルメモリ部８において、代表画データを縮小処理してサムネイルデータを生成する生成処理部を備えるようにすればよい。即ちサムネイルメモリ部８は、供給された代表画データからサムネイルデータを生成し、生成したサムネイルデータを保存するようにすればよい。
【００２９】
上記のように例えば１回目の一覧表示の際には、光ディスク９０に対する読出が行われて、各クリップのサムネイルデータがサムネイルメモリ部８に保存される。そしてその保存された各サムネイルデータに基づいて一覧表示のための表示用データが構築されて出力される。このため、１回目のサムネイル画像一覧表示の際には、ディスク９０への読出アクセスの必要性から、一覧表示が実行されるまでに比較的長い時間を要する。
ところが、２回目以降、一覧表示が求められた場合は、サムネイルメモリ部８に保存された各サムネイルデータを用いて、表示用メモリ９上に表示用データを構築でき、つまり光ディスク９０に対する読出を行う必要がないため、短時間で一覧表示を行うことができる。
【００３０】
ここで、インサート編集等の編集記録が行われた場合など、或るクリップの映像内容が書き換えられるような場合を想定する。
図２（ｂ）は、クリップＣＬ２の一部が書き換えられるインサート編集の様子を示している。例えばクリップＣＬ２の先頭から３秒とされた代表画データを含む区間としてｉｎ点とｏｕｔ点が設定されて、斜線を付した区間がインサート編集記録により書き換えられたとする。
すると、破線で示した代表画データのフレーム画像も、編集前とは異なる内容となる。つまり、このように代表画データを含む区間で編集記録が行われると、クリップＣＬ２の代表画データの映像内容と、既にサムネイルメモリ部８に保存されているクリップＣＬ２のサムネイルデータＴＭ２の映像内容が異なるものとなる。
そこで本例では、このようにクリップＣＬ２の代表画データが書き換えられた場合、サムネイルメモリ部８に保存されていたクリップＣＬ２に対応するサムネイルデータＴＭ２を、図２（ｂ）のように新たな代表画データに基づくサムネイルデータＴＭ２newに更新するようにする。
これによって、以降も、サムネイル画像の一覧表示が求められた場合に、光ディスク９０に記録した各クリップの映像内容が正しく反映された一覧表示を、サムネイルメモリ部８に保存されたサムネイルデータを用いて行うことができるようにするものである。
【００３１】
［３．処理例Ｉ］
以下、具体的な処理例として処理例Ｉ、処理例IIを説明する。各処理例で述べる動作は制御部５の制御に従って各部で実行される動作である。
まず処理例Ｉを図３，図４，図５を参照して説明する。
図３（ａ）（ｂ）は例えば制御部５のタスクを示している。図３（ａ）はサムネイル表示処理タスクであり、これはサムネイル画像一覧表示の要求に応じて制御部５で実行される処理である。また図３（ｂ）は編集処理タスクであり、上記インサート編集等の編集を行う際に制御部５で実行されるタスクである。
【００３２】
或る光ディスク９０が装填された後、はじめてサムネイル画像一覧表示の要求があった場合、制御部５は図３（ａ）のサムネイル表示処理を、ステップＦ１０１からＦ１０２に進める。
ステップＦ１０２では、記録再生ヘッド部２、記録再生用メモリ３、デコーダ６，信号切換回路７、サムネイルメモリ部８を制御し、ディスク９０に対する読出を行って、サムネイルメモリ部８に各クリップのサムネイルデータを保存させる。
即ち記録再生ヘッド部２には、光ディスク９０に記録された各クリップに対応するサムネイルデータの読出を実行させる。或いは各クリップの代表画データの読出を実行させる。そして、サムネイルデータ（もしくは代表画データ）を図４（ａ）に破線で示すように、記録再生用メモリ３→デコーダ６→信号切換回路７→サムネイルメモリ部８という経路でサムネイルメモリ部８に供給させる。
サムネイルメモリ部８は供給されたサムネイルデータを記憶する。或いは代表画データが供給される場合は、代表画データを縮小処理してサムネイルデータを生成し、記憶する。
【００３３】
また、制御部５はステップＦ１０３で、サムネイルメモリ部８において取り込んだ各サムネイルデータに対応する有効フラグをオンとする。
図５（ａ）には、サムネイルメモリ部８にサムネイルデータを保存した様子を模式的に示した。即ちディスク９０に対する読出が行われ、例えば上記図２（ａ）のように光ディスク９０に記録された各クリップＣＬ１，ＣＬ２・・・に対応するサムネイルデータＴＭ１，ＴＭ２・・・が、サムネイルメモリ部８に保存される。また、各サムネイルデータに対応して有効フラグがオンとされる。
なお、この図５では、有効フラグをサムネイルメモリ部８内で保存するものとして示しているが、有効フラグについては、制御部５が内部メモリにおいて、各サムネイルデータに対応させて記憶するものとされてもよい。
【００３４】
このようにサムネイルメモリ部８にへのサムネイルデータの取込を完了したら、次に制御部５はステップＦ１０４で、サムネイル一覧表示を実行させる。
即ち図５（ａ）のように取り込んだサムネイルデータＴＭ１，ＴＭ２・・・を用いて表示用メモリ９に表示用データを構築する。そして表示用メモリ９において生成された表示用データを、図４（ａ）に実線で示すように、表示用メモリ９→信号切換回路７→映像出力部１１という経路で、出力映像信号Ｖｏｕｔとして出力させる。
これによってモニタ装置上で、サムネイル画像の一覧表示が実行される。
【００３５】
制御部５はステップＦ１０５でサムネイル非表示要求（サムネイル表示の終了要求）を監視する。そして、サムネイル非表示要求があったら、ステップＦ１０６に進み、サムネイル画像一覧表示を終了させる。即ち上記した図４（ａ）の実線の経路での表示用メモリ９からの映像信号出力を終了させる。
【００３６】
その後は制御部５は、ステップＦ１０７でサムネイル画無効要求を監視し、またステップＦ１０８でサムネイル再表示要求を監視する。
サムネイル再表示要求、つまり光ディスク９０が装填された後の２回目以降のサムネイル表示要求があった場合は、制御部５は処理をステップＦ１１０に進め、サムネイルメモリ部８において無効とされたサムネイルデータの有無を確認する。
そして無効とされたサムネイルデータが存在しなければ、ステップＦ１１３に進み、サムネイル一覧表示を実行させる。
即ち図５（ａ）のように取り込まれているサムネイルデータＴＭ１，ＴＭ２・・・を用いて表示用メモリ９に表示用データを構築する。そして表示用メモリ９において生成された表示用データを、図４（ｂ）に実線で示すように、表示用メモリ９→信号切換回路７→映像出力部１１という経路で、出力映像信号Ｖｏｕｔとして出力させる。
これによってモニタ装置上で、２回目以降のサムネイル画像の一覧表示が実行される。この場合は、図４（ｂ）に示されるように、光ディスク９０の読出を行ってサムネイルデータをサムネイルメモリ部８に取り込むという動作が不要となるため、サムネイル再表示要求に対して迅速にサムネイル画像一覧表示を実行できるものとなる。
【００３７】
その後、制御部５はステップＦ１１４でサムネイル非表示要求（サムネイル表示の終了要求）を監視する。そして、サムネイル非表示要求があったら、ステップＦ１１５に進み、サムネイル画像一覧表示を終了させる。即ち上記した図４（ｂ）の実線の経路での表示用メモリ９からの映像信号出力を終了させる。
そして制御部はステップＦ１０７，Ｆ１０９の監視処理に戻る。
【００３８】
ここで、編集処理タスクが実行される場合の制御部５の処理を述べる。
外部の編集指示装置やユーザの操作などによる編集要求があると、制御部５の処理は図３（ｂ）のステップＦ２０１からＦ２０２に進み、編集動作制御を実行する。ここでは編集の際の制御処理については詳細な説明を避けるが、例えば図２（ｂ）で述べたように、或るクリップについてｉｎ点からｏｕｔ点として設定した区間の映像データ書き換えを実行させる。例えばｉｎ点より前の映像ポイントから再生を実行させ、ｉｎ点に至ったポイントから、入力映像信号Ｖｉｎをエンコーダ４にエンコードさせて記録再生用メモリ３、記録再生ヘッド部２に供給させ、書き換えとしての記録を実行させる。
またこのような記録を継続し、ｏｕｔ点に至ったら、記録を終了させ、再生動作に移行させる。そして所定のポイントで再生を停止させ、一連の編集記録を完了させる。
【００３９】
このような編集記録を実行させたら、制御部５はステップＦ２０３で、今回の編集においてクリップの代表画点（代表画データとされるフレームポイント）を含む編集を行ったか否かを確認する。例えば代表画データはクリップの開始から３秒目のフレームであるとしている場合、その３秒目のフレームがｉｎ点からｏｕｔ点の区間に含まれていたか否かを確認すればよい。
もし今回の編集記録で書き換えを行った区間に代表画データが含まれていなければ、そのまま編集処理を終え、ステップＦ２０１に戻る。
一方今回の編集記録で書き換えを行った区間に代表画データが含まれていた場合は、ステップＦ２０４に進み、サムネイル表示処理タスクに対して、編集対象となったクリップについてのサムネイル画無効要求を発行する。そして編集処理を終え、ステップＦ２０１に戻る。
【００４０】
以上のように編集処理タスクが実行されるが、上記ステップＦ２０４でサムネイル画無効要求が発行された場合、図３（ａ）のサムネイル表示処理タスク側では、ステップＦ１０７で、このサムネイル画無効要求を確認することになる。
そしてサムネイル画無効要求があったことに応じて、処理をステップＦ１０８に進め、制御部５は、無効要求された或るクリップについてのサムネイルデータの有効フラグをオフとする。
例えば図２（ｂ）のようにクリップＣＬ２の編集が行われた場合を例にすれば、このクリップＣＬ２についてのサムネイル画無効要求が発行され、これに応じて図５（ｂ）に示すように、サムネイルメモリ部８に取り込まれているクリップＣＬ２についてのサムネイルデータＴＭ２に対する有効フラグをオフとさせる。或いは制御部５が内部メモリに有効フラグを記憶している場合は、制御部５自身でクリップＣＬ２についての有効フラグをオフとする。
【００４１】
この図５（ｂ）のように、有効フラグがオフとなったサムネイルデータがサムネイルメモリ部８に存在する場合は、サムネイル再表示要求が発生したときに、以下のような動作が行われる。
まずステップＦ１０９でサムネイル再表示要求があったことが確認され、ステップＦ１１０に進むと、例えばクリップＣＬ２に対応するサムネイルデータＴＭ２が無効（有効フラグがオフ）とされていることにより、処理はステップＦ１１１に進むことになる。
この場合制御部５は、記録再生ヘッド部２、記録再生用メモリ３、デコーダ６，信号切換回路７、サムネイルメモリ部８を制御し、ディスク９０に対する読出を行って、サムネイルメモリ部８にクリップＣＬ２の新たなサムネイルデータＴＭ２newを保存させる。
さらにステップＦ１１２で、サムネイルメモリ部８において取り込んだサムネイルデータＴＭnewに対応する有効フラグをオンとする。
これによって図５（ｃ）のように、サムネイルメモリ部８にクリップＣＬ２についての新たなサムネイルデータＴＭ２newが保存され、その有効フラグもオンとされる。
【００４２】
そしてこのような処理で無効とされたサムネイルデータが存在しなくなったら、ステップＦ１１３に進み、サムネイル一覧表示を実行させる。
即ち図５（ｃ）のように取り込まれているサムネイルデータＴＭ１，ＴＭ２new，ＴＭ３・・・を用いて表示用メモリ９に表示用データを構築する。そして表示用メモリ９において生成された表示用データを、出力映像信号Ｖｏｕｔとして出力させる。
これによってモニタ装置上で、サムネイル画像の一覧表示が実行される。
そしてこのような処理が行われることで、或るクリップの代表画データが書き換えられた編集後であっても、編集後の映像内容が反映されたサムネイル画像一覧表示が実現されるものとなる。
【００４３】
なお、この場合は、サムネイルメモリ部８上で、編集によって無効とされたサムネイルデータＴＭ２を新たなサムネイルデータＴＭ２newに更新するためにディスク９０からの読出動作が必要となるが、全てのクリップのサムネイルデータを読み出す必要はないため、表示までの時間はさほど長くなるものではない。
また、この処理例ではサムネイル再表示要求があったときに、無効とされたサムネイルデータを新たなサムネイルデータに更新するためのディスク９０からの読出動作を行うものとしたが、例えばサムネイル画無効要求があり、ステップＦ１０８の処理を行った後の時点で、サムネイル再表示要求が発生する前の段階で、ステップＦ１１１，Ｆ１１２で述べた処理（サムネイルメモリ部８での新たなサムネイルデータへの更新）を行うようにしてもよい。すると、サムネイル再表示要求があった時点で光ディスク９０からの読出を行う必要がなくなり、サムネイル画像一覧表示を迅速に実行できる。
【００４４】
また、上記例では、有効フラグによりサムネイルメモリ部８上の各サムネイルデータについて、有効／無効を管理するようにしたが、例えば無効化する際には、実際にサムネイルメモリ部８上で、対象のサムネイルデータを消去するようにしてもよい。
【００４５】
［４．処理例II］
続いて処理例IIを図６，図７で説明する。
上記処理例Ｉは、編集後の時点で、映像内容が適合しなくなったサムネイルメモリ部８におけるサムネイルデータを更新する例としたが、この処理例IIは、編集の際に同時的にサムネイルメモリ部８におけるサムネイルデータを更新する例である。
【００４６】
図６（ａ）は制御部５のサムネイル表示処理タスクであり、また図６（ｂ）は制御部５の編集処理タスクである。
或る光ディスク９０が装填された後、はじめてサムネイル画像一覧表示の要求があった場合、制御部５は図６（ａ）のサムネイル表示処理を、ステップＦ３０１からＦ３０２に進める。
ステップＦ３０２では、記録再生ヘッド部２、記録再生用メモリ３、デコーダ６，信号切換回路７、サムネイルメモリ部８を制御し、ディスク９０に対する読出を行って、サムネイルメモリ部８に各クリップのサムネイルデータを保存させる。
即ち記録再生ヘッド部２には、光ディスク９０に記録された各クリップに対応するサムネイルデータの読出を実行させる。或いは各クリップの代表画データの読出を実行させる。そして、サムネイルデータ（もしくは代表画データ）をサムネイルメモリ部８に供給させる。サムネイルメモリ部８は供給されたサムネイルデータを記憶する。或いは代表画データが供給された場合は、代表画データを縮小処理してサムネイルデータを生成し、記憶する。
【００４７】
このようにサムネイルメモリ部８にへのサムネイルデータの取込を完了したら、次に制御部５はステップＦ３０３で、サムネイル一覧表示を実行させる。
即ちサムネイルメモリ部８に取り込んだ各クリップのサムネイルデータを用いて表示用メモリ９に一覧表示用の表示用データを構築する。そして表示用メモリ９において生成された表示用データを、出力映像信号Ｖｏｕｔとして出力させる。
これによってモニタ装置上で、サムネイル画像の一覧表示が実行される。
【００４８】
制御部５はステップＦ３０４でサムネイル非表示要求（サムネイル表示の終了要求）を監視する。そして、サムネイル非表示要求があったら、ステップＦ３０５に進み、サムネイル画像一覧表示を終了させる。即ち表示用メモリ９からの映像信号出力を終了させる。
【００４９】
その後は制御部５はステップＦ３０６でサムネイル再表示要求を待機する。
サムネイル再表示要求、つまり光ディスク９０が装填された後の２回目以降のサムネイル表示要求があった場合は、制御部５は処理をステップＦ３０７に進め、サムネイル一覧表示を実行させる。
即ち既にサムネイルメモリ部８に取り込まれている各クリップのサムネイルデータを用いて表示用メモリ９に一覧表示の表示用データを構築する。そして表示用メモリ９において生成された表示用データを出力映像信号Ｖｏｕｔとして出力させる。
これによってモニタ装置上で、２回目以降のサムネイル画像の一覧表示が実行される。この場合は、光ディスク９０の読出を行ってサムネイルデータをサムネイルメモリ部８に取り込むという動作が不要となるため、サムネイル再表示要求に対して迅速にサムネイル画像一覧表示を実行できる。
【００５０】
その後、制御部５はステップＦ３０８でサムネイル非表示要求（サムネイル表示の終了要求）を監視する。そして、サムネイル非表示要求があったら、ステップＦ３０９に進み、サムネイル画像一覧表示を終了させる。即ち表示用メモリ９からの映像信号出力を終了させる。そして制御部はステップＦ３０６に戻り、再びサムネイル表示要求があることを待機する。
【００５１】
一方、編集処理タスクとしての制御部５の処理は図５（ｂ）のようになる。
外部の編集指示装置やユーザの操作などによる編集要求があると、制御部５の処理はステップＦ４０１からＦ４０２に進み、編集動作制御を開始する。
まず例えばｉｎ点より前の映像ポイントから再生を実行させる。そしてｉｎ点に至ったポイントから、図７（ａ）の実線で示すように、入力映像信号Ｖｉｎをエンコーダ４にエンコードさせて記録再生用メモリ３、記録再生ヘッド部２に供給させ、書き換えとしての記録を実行させる。
ここで、このような編集動作制御を開始した後、制御部５はステップＦ４０３で編集終了となったか否かを確認するとともに、ステップＦ４０４で代表画データのフレームの書き換えが行われることとなったか否かを確認する。
そして例えば図２（ｂ）のような編集記録において、代表画データのフレームが書き換えられるような場合、処理をステップＦ４０５に進める。この場合、入力映像信号Ｖｉｎにおける代表画データとなるフレームの信号を、図７（ｂ）に破線で示すように、信号切換回路７がサムネイルメモリ部８にも供給するように制御する。
即ち、ｉｎ点以降、入力映像信号Ｖｉｎについてはエンコーダ４→記録再生用メモリ３→記録再生ヘッド部２という経路で光ディスク９０への記録が行われながら、その入力映像信号Ｖｉｎにおいて代表画データとされるフレームのタイミングで、入力映像信号Ｖｉｎがサムネイルメモリ部８にも供給されるようにする。
制御部５は、サムネイルメモリ部８に、対象のクリップを指示するとともに、そのクリップに対応するサムネイルデータの更新を指示する。サムネイルメモリ部８は、入力された映像信号について縮小処理を行い、編集対象となっているクリップの新たなサムネイルデータを生成する。そして編集対象となっているクリップについて、それまで保存していたサムネイルデータを消去し、新たなサムネイルデータに更新する。
【００５２】
編集処理が終了したら、制御部５は処理をステップＦ４０３からＦ４０１に戻し、次の編集要求を待機する。
【００５３】
編集記録時に、以上のような処理が行われることで、もし編集記録によって或るクリップの代表画データが書き換えられた場合、その編集対象となっているクリップのサムネイルデータがサムネイルメモリ部８において更新されることになる。
従って、編集後においてサムネイル画像一覧表示の要求があり、図６（ａ）の処理がステップＦ３０６からＦ３０７に進んでサムネイル画像一覧表示が行われる場合、既にサムネイルメモリ部８には適正な映像内容に更新されたサムネイルデータが保存されいるため、そのままサムネイルメモリ部８に保存された各サムネイルデータを用いて一覧表示用の表示用データを生成し、出力することで、迅速に正しく記録内容を反映したサムネイル画像一覧表示を実行できることになる。
また、この処理例IIの場合は、２回目以降のサムネイル画像一覧表示の要求があった際に、例え編集後の時点であっても、光ディスク９０に対する読出を行ってサムネイルメモリ部８上でサムネイルデータを更新するという必要はないため、２回目以降のサムネイル画像一覧表示は、全て迅速に実行できることにもなる。
【００５４】
なお、編集記録中には、新たなサムネイルデータをサムネイルメモリ部８において生成するものとして述べたが、エンコーダ４がサムネイルデータの生成機能が設けられている場合は、エンコーダ４で新たなサムネイルデータを生成してもよい。例えばサムネイルデータを光ディスク９０に記録する方式の場合、エンコーダ４において、代表画データとなるフレームデータを縮小処理してサムネイルデータを生成し、それを光ディスク９０に記録させるということが考えられるが、その場合、上記のように編集記録中にエンコーダ４で生成されるサムネイルデータをサムネイルメモリ部８にも供給して、更新させるようにしてもよい。
【００５５】
以上、実施の形態を説明してきたが、ディスクレコーダ１の構成例、さらには図３，図６のような処理手順には、多様な変形例が考えられる。
また上記例ではサムネイル画像一覧表示について述べたが、例えば１つのサムネイル画像を選択して表示させたり、順次表示させたりするような場合も、有効である。即ち上記の通りサムネイルメモリ部８上でサムネイルデータが更新されることで、実際の記録内容と一致しないサムネイル画像が表示されてしまうということは無い。
また本発明は、記録媒体として光ディスク９０以外のメディアを用いる記録再生装置にも適用できる。例えばフラッシュメモリ等を用いたメモリカードを対象とする記録再生装置や、ＨＤＤ（Hard Disk Drive）を記録媒体として用いる記録再生装置などであっても本発明は好適である。
【図面の簡単な説明】
【００５６】
【図１】本発明の実施の形態のディスクレコーダのブロック図である。
【図２】実施の形態の代表画データとサムネイルデータの説明図である。
【図３】実施の形態の処理例Ｉのフローチャートである。
【図４】実施の形態の処理例Ｉにおける動作の説明図である。
【図５】実施の形態の処理例Ｉにおけるサムネイルメモリ部の状態の説明図である。
【図６】実施の形態の処理例IIのフローチャートである。
【図７】実施の形態の処理例IIにおける動作の説明図である。
【符号の説明】
【００５７】
１  ディスクレコーダ、２  記録再生ヘッド部、３  記録再生用メモリ、４  エンコーダ、５  制御部、６  デコーダ、７  信号切換回路、８  サムネイルメモリ部、９  表示用メモリ
【図１】
2008147866.tif 000003
【図２】
2008147866.tif 000004
【図３】
2008147866.tif 000005
【図４】
2008147866.tif 000006
【図５】
2008147866.tif 000007
【図６】
2008147866.tif 000008
【図７】
2008147866.tif 000009